(57)【要約】【課題】美容師が受美容者の波状の髪を小分けする際に、整列させた波状の髪を乱すことなく、しかも、安全に迅速に波状の髪を小分けすることができるようにする。【解決手段】波状の髪を小分けする操作においては、分け具５を柄４の端部付近に該柄４の軸心に対し直角または略直角方向に設けたヘアブラシＡ、または、分け具５をブラシ台座３の先端に設けたヘアブラシＣを用いて、その操作を行なう。【選択図】　　図１
2004081759.tif 000002
【特許請求の範囲】
【請求項１】
分け具を、ヘアブラシの柄の端部付近に、該柄の軸心に対し直角または略直角方向に設けたことを特徴とする分け具を具備したヘアブラシ。
【請求項２】
ヘアブラシの柄の端部付近に立設した分け具が着脱自在であることを特徴とする分け具を具備したヘアブラシ。
【請求項３】
ヘアブラシの柄に軸心方向に格納した分け具を該柄の端部付近で旋回して直立または略直立させることと、直立または略直立している該分け具を逆旋回して該柄の中に格納させることが自在に可能であることを特徴とする分け具を具備したヘアブラシ。
【請求項４】
分け具をブラシ台座の先端に該ブラシ台座の軸心方向に沿って設けたことを特徴とする分け具を具備したヘアブラシ。
【請求項５】
ブラシ台座の先端付近に該ブラシ台座の軸心方向に沿って設けた分け具が前後進自在であることを特徴とする分け具を具備したヘアブラシ。
【発明の詳細な説明】
【０００１】
【発明の属する技術分野】
本発明は、頭髪を整える際における髪の分け具に関し、詳しくは、分け具を具備したヘアブラシに関する。
【０００２】
【従来の技術】
美容師が受美容者の波打ちしている頭髪や曲がりのある頭髪（以後「波状の髪」と称する。）を直線状に伸ばす作業は、一般的に、受美容者の頭髪から波状の髪を順次に小分けし、小分けする都度にその小分けした波状の髪をヘアブラシとドライヤーとで直線状に伸ばして行くという一連の操作を繰り返すことによって施されている。
【０００３】
図２４（ａ）から図２５（ｄ）に至る一連の図は、波状の髪から小分けした髪を直線状に伸ばす一連の操作における手順の概要を表したものである。
【０００４】
図２４（ａ）は、波状の髪を小分けする際に、右利きの美容師が“分け具を具備していない従来のヘアブラシ（以後「従来のヘアブラシＩ」と称する。）”を右手（以後「片側の手１０」と称する。）で握っている一般的な状況を表したものである。
美容師９は、従来のヘアブラシＩを握っている片側の手１０の小指１４を、従来のヘアブラシＩに対し直角方向に真っ直ぐに伸ばしている。
【０００５】
図２４（ｂ）は、美容師９が、従来のヘアブラシＩを握っている片側の手１０の小指１４を受美容者６の波状の髪に差し込んだ後、その小指１４を受美容者６から少し離すことによって、波状の髪８から少量の波状の髪８を分離させ、その分離した髪即ち分けた髪１２を他側の手１１で掴んでいる状況を表した図である。
【０００６】
図２５（ｃ）図は、美容師９が、分けた髪１２を左手（以後「他側の手１１」と称する。）で握って少し持ち上げ、次いで片側の手１０の小指を受美容者６の波状の髪から抜き去り、その小分けした髪１２の下の空間に片側の手で握っている従来のブラシＧを挿入してから、従来のヘアブラシＩのブラシ毛２上方に向けて小分けした髪１２に差し込んだ状況を表した図である。
【０００７】
図２５（ｄ）図は、美容師９が、小分けした髪１２を握っていた他側の手１１をドライヤー１５に握り替え、従来のヘアブラシＩ付近の分けた髪１２をドライヤー１５で加熱しながら、小分けした髪１２を従来のヘアブラシＩで巻き付け気味に下方に引っ張っている状況を表した図である。
波状の髪８から小分けした髪１２は、ドライヤー１５による加熱により昇温した状態で引っ張られて直線状の髪１３に変質する。
【０００８】
美容師９は、以上の如く、波状の髪の所要部を直線状に伸ばす操作をする際、他側の手１１を小分けした髪１２の握りやドライヤー１５掛けに間断なく使用しながら、従来のヘアブラシを図２４（ｂ）のように握っている片側の手１０の手首を反転させて図２５（ｃ）のような形態にした後、図２５（ｄ）に表しているようにその手首を半回転させながら従来のヘアブラシＩを小分けした髪１２を引っ張りながら下降させ、次いで、その手首を反転させながら図２４（ａ）のように小指１４を真っ直ぐに伸ばしてから、図２４（ｂ）のように小指１４を波状の髪８の中に差し込むという一連の操作を、従来のヘアブラシＩが受美容者６に当たらないように、ドライヤー１５の加熱で受美容者６に火傷をさせたりすることないように、懸命に細心の注意を払いながら、繰り返し続ける。
【０００９】
しかも、美容師９が片側の手１０の手首を図２４（ｂ）の状態から図２５（ｃ）の状態に半回転させるときには、従来のヘアブラシＩの柄の端末が美容師９の手首や拳の裏側に位置して死角の範囲に入る。
また、美容師９が片側の手１０の手首を図２５（ｄ）の状態から図２４（ｂ）の状態に半回転させるときにも、従来のヘアブラシＩの柄の端末が美容師９の手首や拳の裏側に位置して死角の範囲に入る。
【００１０】
更に、美容師９は、波状の髪８を従来のヘアブラシＩで下方向かって整列させてから波状の髪８を直線化する作業に着手するのであるが、図２４（ｂ）に表しているように小指１４を受美容者６の波状の髪８に差し込むときに、小指１４の先端が太く丸みを帯びているので、小指１４の先端で押された部分における波状の髪８の整列が乱れる。
【００１１】
小分けした髪１２側の乱れが大きい場合、小分けした髪１２を整列させるために施す図２５（ｃ）および図２５（ｄ）に表しているようなブラシッシングの回数が、その乱れが小さいときに比して、増加する。
【００１２】
小分けされずに残った髪側にも乱れが生じているが、その乱れが大きい場合、次に小分けする前に、その残っている髪側における波状の髪８の乱れをブラッシングして直さなければならないため、ブラシッシング回数が、その乱れが小さいときに比して、増加する。
【００１３】
前述したように、小指１４の先端で押された部分における波状の髪８の整列が乱れるので、波状の髪８を小分けする操作は作業効率の悪いものであった。
【００１４】
このため、小指１４の先端で押されて波状の髪の整列が乱れを直す分だけ、余分にブラシ掛けの操作が増加すると共に、その乱れを直す分だけ波状の髪８を小分けする回数が増加してブラシの柄を握っている手の小指１４を伸ばす操作が増加するので、美容師９はより一層疲れるという問題があった。
【００１５】
加えて、美容師９は、受美容者６の波打ちしている頭髪の量が膨大な量であるから、前述の一連の操作は、間断なく長時間に亘って続けることを余儀なくされるから、非常に疲れるという問題があった。
【００１６】
従って、美容師９は、疲れた状態で、従来のヘアブラシＩの柄の端末を受美容者６の頭部、首部、肩部の直ぐ傍で早い速度で目まぐるしく動かしているので、従来のヘアブラシＩの柄の端末で受美容者６に負傷させないように払う注意は、美容師９においては肉体的にも精神的にも大変過酷な程度のものであった。
【００１７】
しかし、前述の一連の操作については、その改善策が現在まで見出されなかったので、美容師９は、その過酷な注意を払って実施せざるを得なかった。
【００１８】
ヘアブラシの柄の末端に分け具を具備したヘアブラシが実開平７−２４１３０に開示されているが、このヘアブラシ（以後「従来の分け具を具備したヘアブラシＪ」と称する。）は、図２５に表しているように、分け具７３が柄の端部付近にある回動軸７４を介して切り溝７５に折り畳んで収納できる構造になっている。
【００１９】
“従来の分け具を具備したヘアブラシＪ”は、髪を分ける際に、分け具７３を図２６に表しているように柄の延長方向に柄と直列させて使用するものであり、髪を分けないときには分け具７３を折り畳んで分け具のない従来のブラシのようにして使用するものである。
【００２０】
美容師が、分け具７３を柄と直列に伸ばした状態の“従来の分け具を具備したヘアブラシＪ”を、受美容者６の波状の髪８を直線状の髪１３に施す操作に使用した場合、柄の端末から分け具７３が長く突出しているため、前述の如くに、“従来の分け具を具備したヘアブラシＪ”を握っている手の手首を反転させるときには、分け具７３の先端がその手首の裏側における死角の範囲内で早い速度で目まぐるしく動くことになる。
このため、分け具７３の先端が受美容者６の頭部、首部、肩部に当たって受美容者６に負傷させる危険性が極めて大である。
【００２１】
従って、“従来の分け具を具備したヘアブラシＪ”は受美容者の波打ちしている頭髪を直線状に伸ばす操作には不適なブラシである。
【００２２】
以上の事情により、美容師９達の間で、受美容者６の波状の髪８を小分けする際に、美容師９が小指１４を差し込むことによって生じる波状の髪８の乱れ、並びに、その乱れによって生じる小分け操作回数の増加を無くすことができる方法の出現が熱望されていた。
【００２３】
【発明が解決しようとする課題】
波状の髪を小分けする際に、整列させた波状の髪を乱すことなく、しかも、安全に迅速に波状の髪を小分けすることができるようにする。
【００２４】
【課題を解決するための手段】
波状の髪を小分けする操作においては、分け具を柄の端部付近に該柄の軸心に対し直角または略直角方向に設けたヘアブラシ、または、分け具をブラシ台座の先端に設けたヘアブラシを用いて、その操作を行なう。
【００２５】
【発明の実施の形態】
本発明は、分け具を柄の端部付近に柄の軸心に対し直角または略直角方向に設けたヘアブラシ（以後「前者の“分け具を具備したヘアブラシ”」と称する。）および分け具をブラシ台座の先端に該ブラシ台座の軸心方向に沿って設けたヘアブラシ（以後「後者の“分け具を具備したヘアブラシ”」と称する。）である。
【００２６】
両者の“分け具を具備したヘアブラシ”における分け具は、波状の髪８を小分けする操作において、整列させている波状の髪８を乱すことなく、その分け具を受美容者６の波状の髪８に差し込んだ後、その分け具を反頭部側に離すことによって、その分け具の反頭部側に垂れ下がっている波状の髪８を整列させたまま頭部から離すことを目的としている。
【００２７】
両者の“分け具を具備したヘアブラシ”の分け具は、その先端幅が１．５ｍｍ内至４ｍｍの太針状のものであり、その分け具の先端が半球状、略半球状または頭を切った円錐状をしている。
その先端幅が、１．５ｍｍより小さい場合にはその先端が美容師９や受美容者６に当たったときに刺さり易いので危険であり、４ｍｍより大きい場合には整列させている波状の髪８に差し込んだときにその整列を乱し易い。
【００２８】
使用に適した分け具の形状は、その先端幅が１．５ｍｍ内至４ｍｍで、その先端が半球状、略半球状または頭を切った円錐状をしているものである。
係る形状の分け具は、波状の髪８差し込んだときにその波状の髪８が乱れないばかりか、その先端が受美容者６の頭、首または肩に当たっても刺さり難い。
【００２９】
使用に適した分け具の長さは３０ｍｍ内至７０ｍｍであるが、好ましい分け具の長さは４０ｍｍ内至５５ｍｍのものである。
４０ｍｍ内至５５ｍｍの長さの分け具は、小分けされる波状の髪８の量が直線状化に適量であり、美容師が通常の注意を払って使用した場合には、後述しているように、分け具が受美容者の頭、首または肩に当たらないから、受美容者を負傷させる恐れがない。
分け具は、その長さが３０ｍｍより短いときには小分けされる波状の髪８の量が少なくなるので、小分け回数が多くなる。
また、分け具の長さが７０ｍｍより長いときには、ヘアブラシを握っている手首を反転させるときに手元が狂った場合、その先端が、その手首の陰になって見えないときや見難い時には、受美容者の頭、首または肩に当たり易く、負傷させる恐れが生じる。
【００３０】
前者の“分け具を具備したヘアブラシ”は、分け具を柄の軸心に対し何れの半径方向に設けても使用可能であるが、ブラシ台の何れかの長手方向の側面と直列した方向の柄の側面に取り付けて使用すれば、ブラシ毛や柄を握る指との位置関係から使い易い。
【００３１】
従来からなされている図２３（ｂ）に表している小指１４と同様な仕種をして、波状の髪８を小分けするときには、図２で表しているように、分け具を小指１４の代用品になる柄の位置に具備すれば、分け具を図２３（ｂ）に表している小指１４の差し込み方向と同方向に、即ち図２中の太矢印で表している方向に差し込んで波状の髪８を小分けすることができる。
【００３２】
分け具を小指１４の代用品になる柄の位置に具備した前者の“分け具を具備したヘアブラシ”は、分け具がヘアブラシの柄を握っている手首の回転半径方向に位置しており、分け具の先端が、手首の最大回転半径に近い位置にあるため、ブラッシング操作時や、ブラッシングから髪の小分けに移る時や髪の小分けからブラッシングに移るときにおける手首の反転や捩じり動作で、分け具付きブラシを目まぐるしく動かしても、しかも疲れた状態で目まぐるしく動かしても、また、分け具が手首の死角に入っても、柄の末端が受美容者６の体に触れないように振舞っている限り、美容師９は受美容者６を負傷させることがないという格別の効果を有する。
従って、美容師が通常の注意を払って使用した場合には、分け具が受美容者の頭、首または肩に当たらないから、受美容者を負傷させる恐れがない。
【００３３】
分け具を図２に表している位置の反対側に取り付けた前者の“分け具付きヘアブラシ”を用いて波状の髪を小分けするときには、分け具を他側の手１１の方向から、即ち、図２中の太矢印方向の反対方向から差し込んで使用する。
【００３４】
分け具を図２に表している位置の反対側に取り付けた前者の“分け具付きヘアブラシ”は、分け具がヘアブラシの柄を握っている手首の関節側に向いているため、美容師９はブラッシング操作時や、ブラッシングから髪の小分けに移る時や髪の小分けからブラッシングに移るときにおける手首の反転や捩じり動作で、分け具付きヘアブラシを目まぐるしく動かしても、しかも疲れた状態で目まぐるしく動かしても、また、分け具が手首の死角に入っていても、柄の末端が受美容者の体に触れないように振舞っている限り、受美容者６を負傷させることがないという格別の効果を有する。
従って、美容師が通常の注意を払って使用した場合には、分け具が受美容者の頭、首または肩に当たらないから、受美容者を負傷させる恐れがない。
【００３５】
従って、美容師９は前者の“分け具を具備したヘアブラシ”の分け具を柄の側面から突出させたまま使用しても、ブラッシング操作時や、ブラッシングから髪の小分けに移る時や髪の小分けからブラッシングに移るときに、受美容者６を負傷させないで済むことができる。
【００３６】
前者の“分け具を具備したヘアブラシ”は、分け具の着脱が自在であるように、分け具の取り付け孔を柄の端部付近に予め設けておき、分け具を髪の小分け操作をする直前にその取り付け孔に取り付けて使用するようにしても良い。
分け具の格納孔をブラシ台座の先端面にブラシ台座の軸心に沿って予め設けておいて、分け具を使用しない間は、取り付け孔から外した分け具をその格納孔に差し込んでおくようにしても良い。
【００３７】
また、前者の“分け具を具備したヘアブラシ”は、柄の端部付近において、分け具の旋回・逆旋回が自在であるようにして、分け具を髪の小分けに使用する直前に柄の中に格納していた分け具を旋回させて直立または略直立させ、髪の小分けが済んだ直後に直立または略直立させている分け具を逆旋回させて該柄の中に格納できるようにしても良い。
【００３８】
本発明における後者の“分け具を具備したヘアブラシ”は、美容師９がブラシ台座２４の先端から突出している分け具６５を受美容者６の波状の髪８に差し込んで、波状の髪８を小分けする際に使用する。
【００３９】
本発明における後者の“分け具を具備したヘアブラシ”は、美容師９が分け具を受美容者６における波状の髪８の小分けに使用する場合、分け具６５が美容師９の死角に入ることがなく、ブラシ台座３の先端が受美容者６に向くことがないので、美容師９が安全に使用することができるという特徴を有する。
【００４０】
また、本発明における後者の“分け具を具備したヘアブラシ”は、分け具の先端が通常のブラッシングに使用する場合にも受美容者６に向くことがないので、分け具を突起させたまま美容師９が安全に使用することができるという特徴を有する。
【００４１】
また、本発明における後者の“分け具を具備したヘアブラシ”は、分け具の前後進がブラシ台座の先端で自在であるようにして、分け具を髪の小分けに使用するときにのみブラシ台座の先端からブラシ台座の軸心方向に沿って突出させて使用し、分け具を使用しないときにはブラシ台座の中に格納する用い方をしても良い。
【００４２】
【実施例１】
図１は、本発明の“分け具を具備したヘアブラシＡ”の斜視図であり、図２は本発明の“分け具を具備したヘアブラシＡ”を使用している状況を表した図である。
“分け具を具備したヘアブラシＡ”は、ブラシ毛２を上に向けた状態で、分け具５を図２に表しているように太矢印の方向から波状の髪８に差し込むことができるように、分け具５がブラシ台座３の長手方向の側面と直列した方向に位置している柄の側面に、柄の軸心に対し直角に固定されている。
【００４３】
分け具５の先端が図２に表しているように“分け具を具備したヘアブラシＡ”を握っている片側の手１０の指側に突出しているので、片側の手１０の手首を半回転または捩じっても、死角に入るのはほんの一瞬であるから、美容師９は　“分け具を具備したヘアブラシＡ”を受美容者６の波状の髪８における小分け操作に安全に使用することができる。
【００４４】
【実施例２】
図３は、本発明の“分け具を具備したヘアブラシＢ”の斜視図であり、“分け具を具備したブラシＢ”は、分け具５の固定位置が、実施例１に表している“分け具を具備したヘアブラシＡ”における分け具５の固定位置に比して、その固定位置の反対側に固定したものである。
【００４５】
“分け具を具備したヘアブラシＢ”は、美容師９がブラシ毛２を上に向けた状態で受美容者６の波状の髪８を小分け操作するときには、分け具５が図２における分け具５に比して反対向きに位置する。
美容師９は、“分け具を具備したヘアブラシＢ”の分け具５を受美容者６の波状の髪８に図２に示す太矢印方向の逆方向から差し込んで、その波状の髪８を小分けする。
【００４６】
“分け具を具備したヘアブラシＢ”の分け具５は、その柄を握っている片側の手１０の手首関節側に向いているため、分け具５の先端がその手首の関節側に突出しているので、片側の手１０の手首を半回転または捩じっても、受美容者の体に触れることが無いという特徴を有する。
【００４７】
このため“分け具を具備したヘアブラシＢ”は、分け具５が美容師９死角に入っても、美容師９が受美容者６の波状の髪８を小分け操作やブラッシングに安全に使用することができるという格別の効果を具備している。
【００４８】
【実施例３】
図４は、“分け具を具備したヘアブラシＣ”の斜視図を表し、“分け具を具備したヘアブラシＣ”は分け具５をブラシ台座３の先端にそのブラシ台座３の軸心に沿って固定したものである。
【００４９】
美容師９が“分け具を具備したヘアブラシＣ”を、分け具５を受美容者６における波状の髪８の小分けに使用する場合、分け具５が美容師９の死角に入ることがなく、受美容者６に向くことがないので、安全に使用することができるという特徴を有する。
【００５０】
また、美容師９が“分け具を具備したヘアブラシＣ”を通常のブラシとして使用する場合にも、分け具５が美容師９の死角に入ることがなく、ブラシ台座３の先端が受美容者６に向くことがないので、安全に使用することができるという特徴を有する。
【００５１】
【実施例４】
図５は、本発明の“分け具を具備したヘアブラシＤ”の斜視図であり、“分け具を具備したヘアブラシＤ”は分け具１６がブラシ台座３の先端に挿入されており、分け具１６を固定するための取付孔１７ａと１７ｂが柄４の端部付近の側面に、取付孔１７ｃが柄４の端面に設けられている。
“分け具を具備したヘアブラシＤ”は、分け具１６が取付孔１７ａおよび取付孔１７ｂの内の何れの取付孔にも固定できるから、美容師９が右利き者であっても左利き者であっても利き腕に関係なく使用できる。
【００５２】
図６は、分け具１６の詳細を表した斜視図であり、分け具１６は髪分部１９と円板状の鍔２０と雄螺子２１とで構成されている。
図７における分け具６７は、分け具１６の鍔２０が円板状であるのに対し、鍔６８が六角柱状である。
【００５３】
図５に表している“分け具を具備したヘアブラシＤ”は、分け具１６を使用しないときの状況を表したもので、分け具１６は髪分部１９がブラシ台座３の先端に設けた格納孔１８に挿入され、分け具１６の雄螺子２１がブラシ台座３から突出している。
【００５４】
図７は、分け具６７が格納孔１８に差し込まれる状況を表した図であり、格納孔１８は、ゴムや軟質合成樹脂等の弾性体７０で構成されたものであり、分け具１６の髪分部１９を格納孔１８に差し込んだときに、弾性体７０から受ける締め付け力で格納できるように髪分部１９の外径より若干小さい孔径にしている。
弾性体７０は、図７に表しているように、ブラシ台座３の先端面に設けた孔の内面に接着剤７２で固着されて形成されている。
【００５５】
このため、“分け具を具備したヘアブラシＤ”は、ヘアブラシとして使用しているときに、分け具１６が外れない。
また、分け具１６は格納孔１８に差し込まれている分け具１６は、その雄螺子２１を摘んで強く引っ張ることによって、格納孔１８から抜き出すことができる。
【００５６】
また、分け具１６の格納孔は、格納孔１８に拘泥するものでなく、ブラシ台座３の先端に、髪分部１９の外径より若干大きくかつその孔の奥を先細りテーパにした格納孔７１を設けて、その格納孔７１に挿入された髪分部１９の先端部がそのテーパと嵌合して固定される構造であっても良い。
【００５７】
図８は“分け具を具備したブラシＤ”の一形態を表した斜視図であり、図８における“分け具を具備したブラシＤ”は、ブラシ台座３の先端の格納孔１８に差し込まれていた分け具１６を引き抜いて、分け具１６の雄螺子２１を柄４の取付孔１７ａに螺着した状況を表している。
【００５８】
分け具１６は、鍔２０が柄４の表面を押圧するまで螺合することによって、柄４に強く固定される。
【００５９】
尚、分け具６７を用いれば、分け具６７は六角柱状の鍔６８を介して強く螺合することができるので、分け具１６よりも弛み難い。
また、分け具６７は六角柱状の鍔６８を介して取外し易い。
【００６０】
図８における“分け具を具備したヘアブラシＤ”は、分け具１６が実施例１における“分け具を具備したヘアブラシＡ”の分け具５と同様な位置に所在しているから、実施例１と同様に使用することができて、実施例１と同様な格別の効果を発揮する。
【００６１】
また、分け具１６を格納孔１８に挿入した“分け具を具備したヘアブラシＤ”は、雄螺子２１がブラシ台座３から突出しているけれども、美容師９が受美容者６に対し通常の用い方をした場合には、突出している雄螺子２１が美容師９の死角に入ることがなく、ブラシ台座３の先端が受美容者６に向けることがないので、安全に使用することができるという特徴を有する。
【００６２】
【実施例５】
図９は“分け具を具備したブラシＤ”の一形態を表した斜視図であり、図９における“分け具を具備したブラシＤ”は、ブラシ台座３の先端の格納孔１８に差し込まれていた分け具１６を引き抜いて、分け具１６の雄螺子２１を柄４の取付孔１７ｂに螺着した状況を表している。
【００６３】
図９における“分け具を具備したヘアブラシＤ”は、分け具１６が実施例２における“分け具を具備したブラシＢ”の分け具５と同様な位置に所在しているから、実施例２と同様に使用することができて、実施例２と同様な格別の効果を発揮する。
【００６４】
【実施例６】
図１０は“分け具を具備したブラシＤ”の一形態を表した斜視図であり、図１０における“分け具を具備したブラシＤ”は、ブラシ台座３の先端の格納孔１８に差し込まれていた分け具１６を引き抜いて、分け具１６の雄螺子２１を柄４の取付孔１７ｃに螺着した状況を表し、分け具１６の髪分部１９が柄４の軸心方向に位置している。
【００６５】
美容師９が受美容者６の波状の髪８を直線状の髪１３に施す操作に「分け具１６を取付孔１７ｃに螺着した“分け具を具備したヘアブラシＤ”」を、使用した場合、柄４の端末から分け具１６が突出しているため、前述の如くに、握っている手の手首を反転させるときには、分け具１６の先端が頭部、首部、肩部に向いた状態で、しかも、その手首の裏側における死角の範囲内においても早い速度で目まぐるしく動くことになる。
このため、分け具１６の先端が受美容者６の頭部、首部、肩部に当たって受美容者６に負傷させる危険性が極めて大である。
【００６６】
しかし、分け具１６を取付孔１７ｃに螺着した“分け具を具備したヘアブラシＣ”には、その分け具１６を波打ちしている頭髪を直線状に伸ばす操作以外の従来からなされている“髪分け”に用いることができるという利便性を有している。
【００６７】
【実施例７】
図１１は、本発明の“分け具を具備したヘアブラシＥ”の斜視図であり、“分け具を具備したヘアブラシＥ”は、分け具１６の全体が格納孔２２内に入っており、ブラシ台座２４の側面に釦２３と案内穴３５があり、分け具１６の雄螺子２１と螺着するための取付孔１７ａと１７ｂが柄４の端部付近の側面に、取付孔１７ｃが柄４の端面に設けられている。
“分け具を具備したヘアブラシＥ”は、分け具１６が取付孔１７ａおよび取付孔１７ｂの内の何れの取付孔にも固定できるから、美容師９が右利き者であっても左利き者であっても利き腕に関係なく使用できる。
【００６９】
図１２は、本発明の“分け具を具備したヘアブラシＥ”の構成を表した斜視図であり、“分け具を具備したヘアブラシＥ”はブラシ台座２４が筐体で構成され、蓋２５で覆われており、蓋２５は、外周付近の下部に複数の弾性力を持たせた爪２６が設けられており、これらの爪２６がブラシ台座２４の内壁面に設けられている凹み状の掛合穴２７に入り込むことによって、爪２６の弾性力でブラシ台座２４に固定される。
【００７０】
“分け具を具備したヘアブラシＥ”は、図１２に表しているように分け具１６の髪分部１９がロッド２９の先端に挿入されており、ロッド２９は、ブラシ台座２４の底面に設けられたガイド２８を介して真っ直ぐに前後進し、ロッド２９の胴中に球３３が出入りするための溝３０が具備されていると共に釦２３に連結したレバー３４が固着されている。
【００７１】
分け具１６の髪分部１９が挿入されるロッド２９の格納孔７１は、“分け具を具備したヘアブラシＤ”と同様に、ゴムや軟質合成樹脂等の弾性体７０で構成され、その弾性体７０がロッド２９の先端面に設けた孔の内面に接着剤７２で固着されて形成されている。
【００７２】
また、格納孔７１は、分け具１６の髪分部１９を孔７１に差し込んだときに、弾性体７０から受ける締め付け力で格納できるように髪分部１９の外径より若干小さい孔径にしている。
このため、“分け具を具備したヘアブラシＥ”は、ヘアブラシとして使用しているときに、分け具１６が外れない。
また、分け具１６は、その雄螺子２１を摘んで強く引っ張ることによって、孔７１に差し込まれている髪分部１９を格納孔７１から抜き出すことができる。
【００７３】
ロッド２９は、球３３がコイルバネ３２で常に押圧されているから、その側面が球３３で常に押されていると共に、その後端がコイルバネ３６で常に押されている。
【００７４】
ブラシ台座３の先端に設けられている格納孔２２は、分け具１６の鍔２０および分け具６７の鍔６８の外径よりも大きく、ロッド２９の先端の外径よりも小さい。
【００７５】
“分け具を具備したヘアブラシＥ”は、以上の構成をしているから、図１３に表しているように、釦２３を前方へ押して移動させれば、ロッド２９がガイド２８に案内されて前進するから球３３が溝３０から出て球３３によるロッド２９の固定が解除され、ロッド２９はコイルバネ３６を介してその端部を押されて前進するから、格納穴２２を構成しているブラシ台座２４の内壁に当接して止まる。
【００７６】
このとき、分け具１６は雄螺子２１が“分け具を具備したブラシＤ”と同様にブラシ台座２４の先端から突出しているので、ロッド２９の先端から引き抜いて、柄４の端部付近の側面に設けている取付孔１７ａ、１７ｂおよび柄４の端面に設けている取付孔１７ｃの何れかの取付孔に螺着することができる。
【００７７】
分け具１６を使用した後、美容師９が分け具１６の髪分部１９を格納穴２２からロッド２９の格納孔７１に挿入し、親指４５を伸ばして釦２３に掛け、釦２３を柄４の方向に引き戻せば、即ち図１２に表しているように柄４の方向に釦２３を引き寄せれば、ロッド６６がコイルバネ３６を圧縮しながら後退して、球３３が再び溝３０に入ってロッド２９が固定され、分け具１６の雄螺子２１はブラシ台座２４内に速やかに納まる。
【００７８】
このため、分け具１６の雄螺子２１がブラシ台座２４内に格納された“分け具を具備したヘアブラシＥ”は、分け具の無い従来の通常のヘアブラシＩと同様に使用することができる。
【００７９】
また、分け具６５がブラシ台座２４に納まっている“分け具を具備したヘアブラシＥ”は、美容師９が釦２３を親指４５で前方へ押して球３３を溝３０から出すことにより、ロッド６６がコイルバネ３６の伸張力で瞬時に前進して、ロッド６６の先端がブラシ台座２４の内壁に当接することによって、分け具６５の雄螺子２１がブラシ台座２４の先端から瞬時に突出することになる。
【００８０】
“分け具を具備したヘアブラシＥ”は、以上の構成であるから、分け具１６を“分け具を具備したブラシＣ”と同様に取付孔１７ａ、１７ｂ、１７ｃに設けて使用をすることができるから、“分け具を具備したヘアブラシＣ”と同様な格別の効果を有する。
【００８１】
“分け具を具備したヘアブラシＥ”は、前述のように、“分け具を具備したヘアブラシＤ”に比して、分け具１６を使用していないときに分け具１６の雄螺子２１がブラシ台座２４の先端から突出していないので、雄螺子２１の突出に起因した不測の事故が生じる心配がなく、安全であるという特徴を有している。
【００８２】
【実施例８】
図１４は、本発明の“分け具を具備したヘアブラシＦ”の斜視図であり、分け具６５の全体がブラシ台座３内に入っており、ブラシ台座２４の側面に押釦２３と案内穴３５がある。
図１４は、“分け具を具備したヘアブラシＦ”の内部構造を表した斜視図であり、ブラシ台座２４が空洞を有して、蓋２５が爪２６を介してブラシ台座２４に組付けられる。
【００８３】
“分け具を具備したヘアブラシＦ”は、“分け具を具備したヘアブラシＥ”と同様に、ブラシ台座２４の空洞の底面にロッド６６を真っ直ぐに前後進させるためのガイド２８が設けられており、ロッド６６の胴中に球３３が出入りするための溝３０が設けられており、ロッド６６の後端付近に釦２３に連結したレバー３４が固着している。
ロッド６６の先端には図１５に表しているように太針状の分け具６５が設けられている。
【００８４】
“分け具を具備したヘアブラシＦ”は、以上の構成であるから、美容師９が親指４５を伸ばして釦２３に掛け、釦２３を親指４５の屈曲で後方へ引き戻せば、即ち、図１６に表しているように柄４の方向に、釦２３を引き寄せれば、ロッド６６がコイルバネ３６を圧縮しながら後退して、球３３が再び溝３０に入ってロッド２９が固定され、分け具６５の先端はブラシ台座２４内に速やかに納まる。
【００８５】
また、分け具６５がブラシ台座２４に納まっている“分け具を具備したヘアブラシＦ”は、美容師９が釦２３を親指４５で前方へ押して球３３を溝３０から出せば、分け具６５がコイルバネ３６の伸張力で瞬時に突出する。
【００８６】
美容師９は、受美容者６の波状の髪８を小分けする際に、“分け具を具備したヘアブラシＦ”のブラシ台座２４の先端から突出している分け具６５をその波状の髪８に差し込んで使用する。
【００８７】
分け具６５をブラシ台座２４から突出した“分け具を具備したヘアブラシＦ”は、分け具６５を受美容者６における波状の髪８の小分けに使用した場合“分け具を具備したブラシＥ”と同様に分け具６５が美容師９の死角に入ることがなく、ブラシ台座３の先端が受美容者６に向くことがないので、安全に使用することができるという特徴を有する。
【００８８】
分け具６５を突出したままの“分け具を具備したヘアブラシＦ”を通常のブラシとして使用した場合“分け具を具備したブラシＥ”と同様に分け具６５が美容師９の死角に入ることがなく、ブラシ台座３の先端が受美容者６に向くことがないので、安全に使用することができるという特徴を有する。
【００８９】
【実施例９】
図１７（ａ）は本発明の“分け具を具備したヘアブラシＧ”の側面図を、図１７（ｂ）は図１７（ａ）に対する正面図を、図１７（ｃ）は図１７（ａ）に対する背面図を表している。
“分け具を具備したヘアブラシＧ”の外装は、図１７（ａ）に表しているように、ブラシ毛２を植毛したブラシ台座７６と、蓋７７と、柄３７と、柄３７における一方の側面３８に設けられた押釦３９と、図１７（ｃ）に表しているようにブラシ台座７６における他側の側面４２に設けられたレバー４３とで形成されている。
そして、“分け具を具備したヘアブラシＧ”は図１７（ｂ）に表しているように柄３７の中に格納されていた分け具４１が旋回して直立し、直立した分け具４１が旋回して柄３７の中へ入って格納される機能を有している。
【００９０】
図２０は、“分け具を具備したヘアブラシＧ”の部分断面正面図を表したもので、断面部内の実線は押釦３９が柄３７の方向に押し下げられ、即ち図中の太矢印方向に押し込まれたために、柄３７の中に格納されていた分け具４１が旋回して直立した場合における押釦３９と分け具４１とレバー４３との相互関係を表し、点線は押釦３９が押し込まれている時に実線で表しているレバー４３が揺動している状態を表している。
図２０中の二点鎖線は、押釦３９が押し込まれる前の押釦３９と分け具４１とレバー４３との相互関係を表し、押釦３９が押し込まれる前におけるレバー４３は実線の状態で位置している。
【００９１】
“分け具を具備したヘアブラシＧ”は、押釦３９と分け具４１が柄３７の内部に略軸心方向に所在している梃４９に節合している。
梃４９はブラシ毛２寄りに設けた軸５０で支持され、押釦３９側の片側端付近に長穴５２を、分け具４１側の他側端付近に長穴５８を具備している。
【００９２】
また、柄３７における他方の側面４２の内面には、軸５０と長穴５２との間で梃４９を押圧するためのコイルバネ６０が設けられ、軸５０と長穴５２との間の一方の側面３８寄りには、梃４９の揺動範囲を規制するためのストッパー７８が設けられている。
【００９３】
押釦３９は、その上部が柄３７の一方の側面３８に設けた穴から自在に上下動することができ、その下部は梃４９の片側端付近に設けられている長穴５２にピン５１を挿通して掛合している。
【００９４】
分け具４１は、受美容者６の波状の髪８を小分けするために前述した太さと長さで構成されており、分け具４１の下部がリンク６２にレ字状に固定され、その固定部の付近に設けた軸６１を回転中心にして正逆自在に９０度の範囲で旋回する。
【００９５】
リンク６２は、柄３７の内部で揺動できる長さで、梃４９の他側端付近の揺動範囲に対しリンク６２の揺動範囲即ちリンク６２の旋回角度範囲が９０度になり得る長さ設けておくと共に、リンク６２の回転中心たる軸６１を、梃４９の他側端付近に設けている長穴５８に対し反軸５０側に設けている。
リンク６２は、片側端付近が梃４９の他側端付近にある長穴５８にピン５９を挿通して掛合し、他側端付近が軸６１を介して柄３７に枢設されている。
【００９６】
分け具４１とリンク６２と梃４９とは以上の構成であるから、柄３７の一方の側面３８に設けた押釦３９を押し下げることにより、押釦３９の下部と掛合している梃４９の片側端付近が押し下げられ、その梃４９の他側が軸５０を支点にして旋回するために、リンク６２の片側端付近が９０度の角度範囲で一方の側面３８側に旋回させられ、分け具４１はリンク６２と共に９０度の角度範囲で一方の側面３８側に旋回させられる。
このため、分け具４１は、押釦３９を押し下げるだけで、柄３７の一方の側面３８に設けている細長穴４０から速やかに突出して直立することとなる。
【００９７】
梃４９の片側端付近はコイルバネ６０の伸張力で反太矢印方向に常時押されているため、押釦３９が柄３７の一方の側面２８から最大突出しているとき、即ち二点鎖線で表示している状態であるときには、梃４９の反コイルバネ６０側の端面がストッパー７８に当接しているので、分け具４１を柄３７内に格納している状態の梃４９によって、押釦３９は安定して保持される。
【００９８】
レバー４３は、図２０に表しているようにＬ字状をしており、一方の先端がブラシ台座７６の他方の側面４２から突出し、他方の先端付近が軸５６を介して柄３７に枢設され、他方の先端は傾斜した滑合面５４を形成している。
押釦３９が柄３７の一方の側面２８から最大突出しているとき（二点鎖線で表示している状態であるとき）、即ち、分け具４１を柄３７内に格納しているときにおけるレバー４３は、曲がり部付近がコイルバネ５７の伸張力で押釦３９の押込方向に押されて、ストッパー５５に当接している。
【００９９】
そして、レバー４３の滑合面５４は、押釦３９の押込みによる梃４９の揺動によって、長穴５２が所在している梃４９の片方の端部と滑合できる位置に設けている。
【０１００】
“分け具を具備したヘアブラシＧ”は、以上の構成をしているから、押釦３９を太矢印方向に押し込んだ場合、梃４９の片方の端部は、旋回してレバー４３の滑合面５４に当接した後、滑合面５４を滑りながら押圧してレバー４３を旋回させ、滑合面５４の端部である角稜５３から離れる。
【０１０１】
レバー４３は、梃４９の片方の端部から離れた瞬間、コイルバネ５７の伸張力で逆旋回してストッパー５５に当接する。
【０１０２】
次いで、押釦３９の押し込みを止めると、梃４９はコイルバネ６０の伸張力で逆旋回して、梃４９の片側端付近が、図１８中の実線で表しているように、レバー４３の角稜５３を押圧する。
【０１０３】
分け具４１が直立しているときの梃４９は、レバー４３がストッパー５５に当接していて旋回できないから、コイルバネ６０の伸張力でレバー４３の角稜５３に押圧されて固定される。
直立しているときの分け具４１は、梃４９がこのようにして固定されるから、梃４９の他側端付近に掛合しているリンク６２が旋回できなくなって、逆旋回することなく転倒しない。
尚、分け具４１を直立させた状態においては、押釦３９は押し下げられたままである。
【０１０４】
図２１は、“分け具を具備したヘアブラシＧ”の部分断面正面図を表したもので、断面部内の実線は、直立している分け具４１が柄３７の内部に格納された場合における押釦３９と分け具４１とレバー４３との相互関係を表した図であり、図中の二点鎖線は、分け具４１が柄３７の内部に格納される前の状態、即ち押釦３９が押し込まれて、分け具４１が直立している時の押釦３９と分け具４１との相互関係を表している。
【０１０５】
分け具４１が柄３７から直立している状態において、レバー４３の端部を図１９中の太矢印の方向に押して移動させれば、レバー４３は軸５６を中心にして旋回するので、レバー４３の角稜５３が梃４９を押圧しながら旋回して梃４９の片側端から離れる。
尚、レバー４３の端部は、コイルバネ６０とコイルバネ５７との両方のバネの伸張力に抗して、移動させなければならない。
【０１０６】
梃４９の片側端がレバー４３の角稜５３から離れ瞬間、梃４９はコイルバネ６０から押圧されて逆旋回するので、図１９中の実線で表しているように、梃４９の片側端に掛合している押釦３９が上昇し、梃４９の他側端に掛合しているリンク６２が分け具４１を転倒させる方向に旋回し、分け具４１が柄３７の内部に瞬時に格納される。
次いで、レバー４３の端部を開放すれば、レバー４３はコイルバネ５７の伸張力でストッパー５５に押圧されて保持される。
【０１０７】
“分け具を具備したヘアブラシＧ”は、分け具４１を柄３７の内部に格納しても押釦３９やレバー４３が突起している。
しかし、美容師９は、押釦３９やレバー４３の突起に触れることなく、しかも、図１８（ａ）に表しているように“従来のブラシ”と同様に柄３７を握ることができるから、押釦３９やレバー４３の突起は美容師９がブラッシングする際に邪魔にならない。
【０１０８】
“分け具を具備したヘアブラシＧ”を波状の髪８の小分けに使用したい場合には、図１８（ｂ）に表しているように“分け具を具備したブラシＧ”の柄３７を親指４５と人差指４６とではさみ持ち、薬指４８と小指１４を折り曲げて一方の側面３８にある細長穴４０から離して細長穴４０を開放してから、人差指４６で押釦３９を押すことにより、柄３７の内部に格納されていた分け具４１を柄３７から直立させることができる。
【０１０９】
分け具４１が柄３７から旋回して直立した直後に、人差指４６を押釦３９から離し、人差指４６と薬指４８と小指１４とを柄３７の一方の側面３８に掛け直すことにより、“分け具を具備したブラシＦ”は、図１９（ｃ）に表しているように分け具４１を直立させた状態で握ることができる。
【０１１０】
このため“分け具を具備したヘアブラシＧ”は、分け具４１が実施例１における“分け具を具備したブラシＡ”の分け具５と同様な位置に所在しているから、実施例１と同様に図２に表しているように使用することができて、実施例１と同様な格別の効果を発揮する。
【０１１１】
分け具４１を直立させた状態の“分け具を具備したヘアブラシＧ”に対し、その分け具４１を柄３７の内部に格納したい場合には、薬指４８と小指１４を折り曲げて一方の側面３８にある細長穴４０から離して細長穴４０を開放してから、柄３７を人差指４６と中指４７からなる２本の指と手の平との間に挟んだ状態で、一方の側面３８における細長穴４０の上にある薬指４８と小指１４を折り曲げることにより細長穴４０を開放穴にしてから、図１９（ｄ）に表しているように親指４５でレバー４３を押すことにより、直立していた分け具４１が旋回して柄３７の内部に格納される。
【０１１２】
直立していた分け具４１が旋回して柄３７の内部に格納された直後に、親指４５をレバー４３から離し、人差指４６と薬指４８と小指１４とを柄３７の一方の側面３８に掛け直すことにより、“分け具を具備したブラシＦ”は、図１８（ａ）に表しているように、分け具を具備していない“従来のヘアブラシＩ”と同様に柄３７を握って受美容者６にブラッシングを施すことができる。
【０１１３】
【実施例１０】
図２２は、“分け具を具備したヘアブラシＨ”の部分断面正面図を表したもので、“分け具を具備したブラシＧ”と類似した構造をしており、断面部内の実線は、直立している分け具８１が柄３７の内部に格納された場合における押釦３９と分け具４１とレバー４３との相互関係を表した図であり、図中の二点鎖線は、分け具８１が柄３７の内部に格納される前の状態、即ち押釦３９が押し込まれて、分け具８１が直立している時の押釦３９と分け具８１との相互関係を表している。
【０１１４】
“分け具を具備したヘアブラシＨ”のリンク８０は“分け具を具備したブラシＧ”におけるリンク６２と同様に片側端付近が梃４９の他側端付近にある長穴５８にピン５９を挿通して掛合し、他側端付近が軸７９を介して柄３７に枢設されている分け具８１を旋回させるものであり、柄３７の内部で揺動できる長さで、梃４９の他側端付近の揺動範囲に対しリンク８０の揺動角度即ち旋回角度が９０度になり得る長さである。
【０１１５】
また、リンク８０の回転中心たる軸７９の位置は、“分け具を具備したヘアブラシＧ”のリンク６２における軸６１が梃４９の揺動中心たる軸５０から見ての長穴５８の外側に設けてあるのに対し、軸５０から見ての長穴５８の内側に設けてある。
【０１１６】
分け具８１は、柄３８の端部近くで直立させるために分け具８１の反先端側を図２２に表しているように曲げ、その曲がり部をリンク８０の片側に固定している。
【０１１７】
“分け具を具備したブラシＨ”は以上の構成をしているから“分け具を具備したヘアブラシＧ”の分け具４１が押釦３９側で旋回して突起するのに対し、分け具８１が押釦３９側の反対側即ちレバー４３側で旋回して突起する。
尚、“分け具を具備したヘアブラシＨ”の分け具８１は、柄３８から直立している分け具８１を受美容者６の波状の髪８を小分けするために適した太さと長さにしている。
【０１１８】
“分け具を具備したヘアブラシＨ”は以上の構成をしているから、直立している分け具８１を転倒させる際においては、柄３７を図２２に表しているように人差指４６と手の平の盛上り部８２との間に挟んで、親指４５でレバー４３を押して移動させれば、盛上り部８２の前を旋回して転倒するので、図２１の二点鎖線で表しているようにコイルバネ６０の伸張力によって瞬時に柄３７の内部に格納される。
【０１１９】
また、柄３７の内部に格納されている分け具８１を直立させる際においては、柄３７を中指４７、薬指４８および小指１４等の指と手の平の盛上り部８２との間に挟んで、人差指４６で押釦３９を押し下げれば、盛上り部８２の前を旋回して直立するので、図２２の実線で表しているように人差指４６の押圧力で速やかに柄３７に対し直立せせることができる。
【０１２０】
“分け具を具備したヘアブラシＨ”の分け具８１は“分け具を具備したヘアブラシＢ”の分け具５と同様に、その柄を握っている片側の手１０の手首関節側に向いているため、分け具８１の先端がその手首の関節側に突出しているので、片側の手１０の手首を半回転または捩じっても、受美容者の体に触れることが無いという特徴を有するところに以って、分け具８１を使用するときにのみ直立させ、分け具８１を使用しないときには柄３７の中に格納することにすれば、“分け具を具備したブラシＨ”は美容師９が波状の髪８を小分け操作やブラッシングにおいて誤って受美容者６を分け具８１で負傷させることが無くすという格別の効果を具備している。
【０１２１】
【発明の効果】
本発明の“分け具を具備したヘアブラシＡ、Ｂ、Ｃ、Ｄ、Ｇ、Ｈ”におけるそれぞれの分け具５、１６、４１、８１の先端は、柄を握っている手の小指の方向に柄から５０ｍｍ程度の離れた位置に突出しているため、美容士の手の拳が回転する範囲内に常時位置している。
【０１２２】
従って、美容師９は、もともと手の拳が受美容者６の頭や首や肩に当たらないように気を付けながらブラシを振り回しているため、波状の髪８の全部を直線状に伸ばす作業おいては、小分け具の先端を格納し忘れても、誤って髪の小分け具の先端で受美容者６の頭や首や肩に負傷させる危険性が極めて小さくなるという格別の効果を有する。
【０１２３】
本発明の“分け具を具備したヘアブラシＥ、Ｆ”におけるそれぞれの分け具５、６５の先端は、ブラシ台座２４の先端から５０ｍｍ程度に突出しているが、波状の髪８の全部を直線状に伸ばす作業おいては、美容師９が分け具６５の先端を受美容者６に向けることがないので、受美容者６を負傷させることがないばかりか、美容師９に届かないため美容師９が誤って自分を負傷させることがない。
【図面の簡単な説明】
【図１】本発明の“分け具を具備したヘアブラシＡ”の斜視図である。
【図２】本発明の“分け具を具備したブヘアラシＡ”を使用している状況を表した図である。
【図３】本発明の“分け具を具備したヘアブラシＢ”の斜視図である。
【図４】本発明の“分け具を具備したヘアブラシＣ”の斜視図である。
【図５】本発明の“分け具を具備したヘアブラシＤ”の斜視図である。
【図６】分け具の斜視図である。
【図７】ブラシ台座の先端に設けた格納孔の断面図を表した部分断面図である。
【図８】分け具をブラシの柄の側面に取り付けた本発明の“分け具を具備したヘアブラシＤ”の斜視図である。
【図９】分け具をブラシの柄の側面に取り付けた本発明の“分け具を具備したヘアブラシＤ”の斜視図である。
【図１０】分け具をブラシの柄の先端に取り付けた本発明の“分け具を具備したヘアブラシＤ”の斜視図である。
【図１１】本発明の“分け具を具備したヘアブラシＥ”の斜視図である。
【図１２】分け具をブラシの台座の内部に格納している状況を表した本発明の“分け具を具備したヘアブラシＥ”の斜視図である。
【図１３】分け具の一部をブラシの台座から突出させている状況を表した本発明の“分け具を具備したヘアブラシＥ”の斜視図である。
【図１４】本発明の“分け具を具備したヘアブラシＦ”の斜視図である。
【図１５】分け具をブラシの台座の先端から突出さている状況を表した本発明の“分け具を具備したヘアブラシＦ”の斜視図である。
【図１６】分け具をブラシの台座の前部に格納している状況を表した本発明の“分け具を具備したヘアブラシＦ”の斜視図である。
【図１７】（ａ）本発明の“分け具を具備したヘアブラシＧ”の側面図である。
（ｂ）本発明の“分け具を具備したヘアブラシＧ”の正面図である。
（ｃ）本発明の“分け具を具備したヘアブラシＧ”の背面図である。
【図１８】（ａ）本発明の“分け具を具備したヘアブラシＧ”を握っている状況を表した図である。
（ｂ）本発明の“分け具を具備したヘアブラシＧ”から“分け具”を起立させた直後の状況図である。
【図１９】（ｃ）分け具を起立させた本発明の“分け具を具備したヘアブラシＧ”を握っている状況を表した図である。
（ｄ）“分け具”を起立させていた本発明の“分け具を具備したヘアブラシＧ”からその“分け具”を格納した直後の状況図である。
【図２０】“分け具”を起立させる構造を表した“分け具を具備したヘアブラシＧ”の断面図である。
【図２１】“分け具”を転倒させる構造を表した“分け具を具備したヘアブラシＧ”の断面図である。
【図２２】“分け具を具備したヘアブラシＨ”の部分断面正面図である。
【図２３】“分け具”の出し入れする際において“分け具を具備したヘアブラシＨ”の柄を握っている状況を表した断面図である。
【図２４】（ａ）“従来のヘアブラシＩ”を握っている状況を表した図である。
（ｂ）“従来のヘアブラシＩ”を握った手の指で受美容者の髪を分けている状況を表した図である。
【図２５】（ｃ）“従来のヘアブラシＩ”を分けた髪に当てた状況を表した図である。
（ｄ）分けた髪をドライヤーで加熱しながら、“従来のヘアブラシＩ”でブラッシングしている状況を表した図である。
【図２６】“従来の分け具を具備したヘアブラシＪ”の縦断面図である。
【符号の説明】
Ａ‥‥‥‥‥‥‥‥分け具を具備したヘアブラシ
Ｂ‥‥‥‥‥‥‥‥分け具を具備したヘアブラシ
Ｃ‥‥‥‥‥‥‥‥分け具を具備したヘアブラシ
Ｄ‥‥‥‥‥‥‥‥分け具を具備したヘアブラシ
Ｅ‥‥‥‥‥‥‥‥分け具を具備したヘアブラシ
Ｆ‥‥‥‥‥‥‥‥分け具を具備したヘアブラシ
Ｇ‥‥‥‥‥‥‥‥分け具を具備したヘアブラシ
Ｈ‥‥‥‥‥‥‥‥従来の分け具を具備したヘアブラシ
Ｉ‥‥‥‥‥‥‥‥従来のヘアブラシ
１‥‥‥‥‥‥‥‥ヘアブラシ
２‥‥‥‥‥‥‥‥ブラシ毛
３‥‥‥‥‥‥‥‥ブラシ台座
４‥‥‥‥‥‥‥‥柄
５‥‥‥‥‥‥‥‥分け具
６‥‥‥‥‥‥‥‥受美容者
７‥‥‥‥‥‥‥‥頭髪
８‥‥‥‥‥‥‥‥波状の髪
９‥‥‥‥‥‥‥‥美容師
１０‥‥‥‥‥‥‥片側の手
１１‥‥‥‥‥‥‥他側の手
１２‥‥‥‥‥‥‥小分けした髪
１３‥‥‥‥‥‥‥直線状の髪
１４‥‥‥‥‥‥‥小指
１５‥‥‥‥‥‥‥ドライヤー
１６‥‥‥‥‥‥‥分け具
１７ａ‥‥‥‥‥‥取付孔
１７ｂ‥‥‥‥‥‥取付孔
１７ｃ‥‥‥‥‥‥取付孔
１８‥‥‥‥‥‥‥格納孔
１９‥‥‥‥‥‥‥髪分け部
２０‥‥‥‥‥‥‥鍔
２１‥‥‥‥‥‥‥雄螺子
２２‥‥‥‥‥‥‥格納穴
２３‥‥‥‥‥‥‥釦
２４‥‥‥‥‥‥‥ブラシ台座
２５‥‥‥‥‥‥‥蓋
２６‥‥‥‥‥‥‥爪
２７‥‥‥‥‥‥‥掛合穴
２８‥‥‥‥‥‥‥ガイド
２９‥‥‥‥‥‥‥ロッド
３０‥‥‥‥‥‥‥溝
３１‥‥‥‥‥‥‥枠
３２‥‥‥‥‥‥‥コイルバネ
３３‥‥‥‥‥‥‥球
３４‥‥‥‥‥‥‥レバー
３５‥‥‥‥‥‥‥案内穴
３５ａ‥‥‥‥‥‥案内凹
３５ｂ‥‥‥‥‥‥案内凹
３６‥‥‥‥‥‥‥コイルバネ
３７‥‥‥‥‥‥‥柄
３８‥‥‥‥‥‥‥一方の側面
３９‥‥‥‥‥‥‥押釦
４０‥‥‥‥‥‥‥細長穴
４１‥‥‥‥‥‥‥分け具
４２‥‥‥‥‥‥‥他方の側面
４３‥‥‥‥‥‥‥レバー
４４‥‥‥‥‥‥‥案内穴
４５‥‥‥‥‥‥‥親指
４６‥‥‥‥‥‥‥人差指
４７‥‥‥‥‥‥‥中指
４８‥‥‥‥‥‥‥薬指
４９‥‥‥‥‥‥‥梃
５０‥‥‥‥‥‥‥軸
５１‥‥‥‥‥‥‥ピン
５２‥‥‥‥‥‥‥長穴
５３‥‥‥‥‥‥‥角稜
５４‥‥‥‥‥‥‥滑合面
５５‥‥‥‥‥‥‥ストッパー
５６‥‥‥‥‥‥‥軸
５７‥‥‥‥‥‥‥コイルバネ
５８‥‥‥‥‥‥‥長穴
５９‥‥‥‥‥‥‥ピン
６０‥‥‥‥‥‥‥コイルバネ
６１‥‥‥‥‥‥‥軸
６２‥‥‥‥‥‥‥リンク
６３‥‥‥‥‥‥‥角稜
６４‥‥‥‥‥‥‥当接面
６５‥‥‥‥‥‥‥分け具
６６‥‥‥‥‥‥‥ロッド
６７‥‥‥‥‥‥‥分け具
６８‥‥‥‥‥‥‥鍔
６９‥‥‥‥‥‥‥ロッド
７０‥‥‥‥‥‥‥弾性体
７１‥‥‥‥‥‥‥格納孔
７２‥‥‥‥‥‥‥接着剤
７３‥‥‥‥‥‥‥分け具
７４‥‥‥‥‥‥‥回動軸
７５‥‥‥‥‥‥‥切り溝
７６‥‥‥‥‥‥‥ブラシ台座
７７‥‥‥‥‥‥‥蓋
７８‥‥‥‥‥‥‥ストッパー
７９‥‥‥‥‥‥‥軸
８０‥‥‥‥‥‥‥リンク
８１‥‥‥‥‥‥‥分け具
８２‥‥‥‥‥‥‥盛上り部
【図１】
2004081759.tif 000003
【図２】
2004081759.tif 000004
【図３】
2004081759.tif 000005
【図４】
2004081759.tif 000006
【図５】
2004081759.tif 000007
【図６】
2004081759.tif 000008
【図７】
2004081759.tif 000009
【図８】
2004081759.tif 000010
【図９】
2004081759.tif 000011
【図１０】
2004081759.tif 000012
【図１１】
2004081759.tif 000013
【図１２】
2004081759.tif 000014
【図１３】
2004081759.tif 000015
【図１４】
2004081759.tif 000016
【図１５】
2004081759.tif 000017
【図１６】
2004081759.tif 000018
【図１７】
2004081759.tif 000019
【図１８】
2004081759.tif 000020
【図１９】
2004081759.tif 000021
【図２０】
2004081759.tif 000022
【図２１】
2004081759.tif 000023
【図２２】
2004081759.tif 000024
【図２３】
2004081759.tif 000025
【図２４】
2004081759.tif 000026
【図２５】
2004081759.tif 000027
【図２６】
2004081759.tif 000028